(57)【要約】      （修正有）【課題】水の付いた石鹸やその他の載置物がそで部からくぼみ部内にすべって落ち込んでしまうのを防止でき、付着した水で石鹸がべたべたして柔らかくなるのを防止できる洗面器を提供する。【解決手段】くぼみ部２と壁への取付部３とくぼみ部２の上面周囲を囲うそで部４とを備えた洗面器において、そで部４における取付部３側でかつくぼみ部２の後部上端周りに、石鹸などの載置物のくぼみ部２への滑り落ちを阻止する載置物保持用突条部５を起立状に突設して、この載置物保持用突条部５と取付部３との間に載置スペース６を形成する。また、そで部４の取付部３側からくぼみ部２側に向って次第に低くなるように傾斜させ、載置スペース６からくぼみ部２への排水用通路７を形成した。【選択図】図１
0003207524.tif 000002
【実用新案登録請求の範囲】
【請求項１】
くぼみ部２とその背面に形成される壁への取付部３とくぼみ部２の上面周囲を囲うそで部４とを備えた洗面器であって、そで部４における取付部３側でかつくぼみ部２の後部上端周りに、石鹸Ｓや小物などの載置物のくぼみ部２への滑り落ちを阻止する載置物保持用突条部５を起立状に突設して、この載置物保持用突条部５と取付部３との間に石鹸Ｓや小物などの載置スペース６を形成する一方、載置スペース６の載置面６ａを、そで部４の取付部３側からくぼみ部２側に向って次第に低くなるように傾斜させると共に、載置スペース６の両側に続くそで部４の少なくとも両側の上面４ａを外縁立上がり部４ｂ側からくぼみ部２側に向って次第に低くなるように傾斜させて、載置スペース６からくぼみ部２に続く排水用通路７を形成したことを特徴とする洗面器。
【請求項２】
載置物保持用突条部５に、載置スペース６側からくぼみ部２側に水抜きをする水抜き孔又は水抜き溝８…８を複数個形成したことを特徴とする請求項１記載の洗面器。
【考案の詳細な説明】
【技術分野】
【０００１】  本考案は、壁面などに取り付けて用いる洗面器に関するものである。
【背景技術】
【０００２】  従来、たとえば壁面などに取り付けて用いる壁掛用の洗面器は、くぼみのある陶器製の洗面器と水栓金具とを備えた構成となっている。洗面器はくぼみ部とその背面に形成される壁への取付部とくぼみ部の上面周囲を囲うそで部とから形成されている。【０００３】  そして、例えば石鹸を使用して手洗いを頻繁に行うような場合、その使用後には石鹸を洗面器におけるそで部の壁側上面の余ったスペースに載置し、その載置状態をそのまま保つようにして用いている。
【考案の概要】
【考案が解決しようとする課題】
【０００４】  しかし、上記した従来の洗面器にあっては、使用した石鹸を洗面器におけるそで部の壁側上面の余った例えば角部スペースに置いてその状態を維持しようとしたとき、水の付いた石鹸がそで部の上面を容易に滑ってくぼみ部内に落ち込んでしまう問題があった。そのため、使用した石鹸をそで部の上面に戻して載置するたびに毎回気を付けてそで部の壁側上面に慎重に置く必要があり、その戻し動作が非常に面倒で煩わしいものであった。また、水の付いた状態でそのまま石鹸をそで部の壁側上面の角部スペースに置いて保管しようとすると、石鹸に付着した水がそで部の壁側上面に溜まるため、石鹸の下部がべたべたした柔らかい状態になってしまうといった不具合もあった。【０００５】  そこで、本考案は、洗面器におけるそで部の壁側上面のスペース部分を工夫することにより、水の付いた石鹸や小物などがそで部からくぼみ部内に落ち込んでしまうのを防止でき、かつ、石鹸がべたべたして柔らかくなることなく載置保持できる洗面器の提供を課題とする。
【課題を解決するための手段】
【０００６】  本願の請求項１記載の考案は、くぼみ部２とその背面に形成される壁への取付部３とくぼみ部２の上面周囲を囲うそで部４とを備えた洗面器であって、そで部４における取付部３側でかつくぼみ部２の後部上端周りに、石鹸Ｓや小物などの載置物のくぼみ部２への滑り落ちを阻止する載置物保持用突条部５を起立状に突設して、この載置物保持用突条部５と取付部３との間に石鹸Ｓや小物などの載置スペース６を形成する一方、載置スペース６の載置面６ａを、そで部４の取付部３側からくぼみ部２側に向って次第に低くなるように傾斜させると共に、載置スペース６の両側に続くそで部４の少なくとも両側の上面４ａを外縁立上がり部４ｂ側からくぼみ部２側に向って次第に低くなるように傾斜させて、載置スペース６からくぼみ部２に続く排水用通路７を形成したことを特徴とする。【０００７】  本願の請求項２記載の考案は、請求項１記載の構成における載置物保持用突条部５に、載置スペース６側からくぼみ部２側に水抜きをする水抜き孔又は水抜き溝８…８を複数個形成したことを特徴とする。
【考案の効果】
【０００８】  上記した本考案によれば、洗面器のそで部４における取付部３側でかつくぼみ部２の後部上端周りに載置物保持用突条部５を起立状に突設して、この載置物保持用突条部５と取付部３との間に石鹸Ｓや小物などの載置スペース６を積極的に形成したから、例えば石鹸Ｓの使用後に水の付いた石鹸Ｓを載置スペース６に戻したとき、石鹸Ｓは載置物保持用突条部５により載置スペース６に確実に保持されることになる。これにより、従来例のように水の付着した石鹸Ｓがそで部３からくぼみ部２内にすべり込んで落ちてしまうといったことを確実に防止できる。その上、載置スペース６の載置面６ａを、そで部４の取付部３側からくぼみ部２側に向って次第に低くなるように傾斜させると共に、載置スペース６の両側に続くそで部４の少なくとも両側の上面４ａを外縁立上がり部４ｂ側からくぼみ部２側に向って次第に低くなるように傾斜させて、載置スペース６からくぼみ部２に続く排水用通路７を形成したことにより、石鹸Ｓに付いた水や飛び散った水などを、上記傾斜面を利用した排水用通路７を介してくぼみ部２に排水することができる。この排水作用により石鹸Ｓがべたべたして柔らかくなることがなく載置スペース６に載置保持することができる。【０００９】  また、石鹸保持用突条部５に、載置スペース６側からくぼみ部２側に水抜きをする水抜き孔又は水抜き溝８…８を複数個形成すれば、石鹸Ｓに付いた水や飛び散った水などを、水抜き孔又は水抜き溝８…８を介してより直接的にくぼみ部２に排水することができる。したがって、上述の傾斜面を利用した排水用通路７による排水作用と水抜き孔又は水抜き溝８…８による水切り作用との組み合わせにより、一層効果的に乾燥されて石鹸Ｓなどがべたべたすることなく載置スペース６に載置保持することができる。
【図面の簡単な説明】
【００１０】
【図１】本考案に係る洗面器の一部省略平面図である。
【図２】同洗面器の正面図である。
【図３】図１のＡーＡ拡大断面図である。
【図４】図１のＢーＢ拡大断面図である。
【図５】載置物保持用突条部の別の実施例を示す一部省略平面図である。
【考案を実施するための形態】
【００１１】  以下本考案に係る洗面器の実施の態様を図に基づいて説明する。
【００１２】  図１は本考案に係る洗面器を示すもので、この洗面器１は、くぼみ部２と、その背面に形成される壁（図示せず）への取付部３と、くぼみ部２の上面の周囲を囲うそで部４とから形成されている。また、そで部４における壁取付側上面の一方スペースには、水栓金具１０が設けられている。
【００１３】  そして、以上のように構成する洗面器１において、本考案では、図１及び図３、４に示すようにそで部４における取付部３側でかつくぼみ部２の後部上端周りに、石鹸Ｓや小物などの載置物のくぼみ部２への滑り落ちを阻止する載置物保持用突条部５を起立状に突設して、この載置物保持用突条部５と取付部３との間に石鹸Ｓや小物などの載置スペース６を形成している。図に示す実施例では、載置物保持用突条部５をくぼみ部２の後部上端全長部からさらにこれに続くそで部４の両側の一部分にわたって形成している。
【００１４】  また、図３及び図４に示すように載置スペース６の載置面６ａを、そで部４の取付部３側からくぼみ部２側に向って次第に低くなるように傾斜させると共に、載置スペース６の両側に続くそで部４の少なくとも両側の上面４ａを外縁立上がり部４ｂ側からくぼみ部２側に向って次第に低くなるように傾斜させて、載置スペース６からくぼみ部２に続く排水用通路７を形成している。
【００１５】  次に、以上のように構成した洗面器１の作用について説明する。
【００１６】  洗面器１のそで部４における取付部３側でかつくぼみ部２の後部上端周りに、石鹸のくぼみ部２への滑り落ちを阻止する載置物保持用突条部５を起立状に突設して、この載置物保持用突条部５と取付部３との間に載置スペース６を形成しているから、例えば石鹸Ｓの使用後、水の付いた石鹸Ｓを載置スペース６に戻したときに、石鹸Ｓは載置物保持用突条部５により載置スペース６に確実に保持される。これにより、従来例のように水の付着した石鹸Ｓがそで部３からくぼみ部２内にすべり込んで落ちてしまうといったことを確実に防止できる。また、載置スペース６には、石鹸Ｓと一緒に、或いは石鹸Ｓに代えて例えばスポンジやメガネ或いは雑巾などの小物を確実に載置することができる。
【００１７】  また、載置スペース６の載置面６ａを、そで部４の取付部３側からくぼみ部２側に向って次第に低くなるように傾斜させると共に、載置スペース６の両側に続くそで部４の少なくとも両側の上面４ａを外縁立上がり部４ｂ側からくぼみ部２側に向って次第に低くなるように傾斜させて、載置スペース６からくぼみ部２に続く排水用通路７を形成しているので、石鹸Ｓに付いた水や飛び散った水などを、上記傾斜面を利用した排水用通路７を介してくぼみ部２に排水することができる。この排水作用により従来のように石鹸Ｓがべとついたり、或いは柔らかくなることがなく載置スペース６に良好に載置保持することができる。
【００１８】  図５は、載置物保持用突条部５の別の実施例で、載置物保持用突条部５に載置スペース６側からくぼみ部２側に直接的に水抜きをする水抜き孔又は水抜き溝８…８を複数個形成したものである。このように載置物保持用突条部５に水抜き孔又は水抜き溝８…８を形成すれば、石鹸Ｓに付いた水を水抜き孔又は水抜き溝８…８を介してより積極的にくぼみ部２に排水することができる。したがって、先の傾斜面を利用した排水用通路７による排水作用と水抜き孔又は水抜き溝８…８による水切り作用との組み合わせにより、石鹸Ｓなどがより一層乾燥されることになり、その結果、従来のように石鹸Ｓがべとついたり、或いは柔らかくなることがなくより一層載置スペース６に良好に載置保持されることになる。
【００１９】  なお、石鹸保持用突条部５は洗面器１を陶器、或いは樹脂などにより一体成形する際に取付部３やそで部４と一体に形成するほか、別部材により後付で突設してもよい。
【符号の説明】
【００２０】  １              洗面器
２              くぼみ部
３              取付部
４              そで部
４ａ            上面
４ｂ            外縁立上がり部
５              載置物保持用突条部
６              載置スペース
６ａ            載置面６ａ
７              排水用通路
８              水抜き孔又は水抜き溝
Ｓ              石鹸
【図１】
0003207524.tif 000003
【図２】
0003207524.tif 000004
【図３】
0003207524.tif 000005
【図４】
0003207524.tif 000006
【図５】
0003207524.tif 000007